(57)【特許請求の範囲】
【請求項１】
撮像装置である電子機器であって、
カスタマイズ設定画面とカスタマイズ画面とを表示する表示部と、
カスタマイズ操作をユーザから受け付ける操作部と、
を備え、
前記カスタマイズ設定画面は、撮影条件および再生条件の少なくとも一方に関する１又は複数のカスタマイズ項目における設定を受け付け、１又は複数の前記カスタマイズ項目にそれぞれ対応する１又は複数のオブジェクトを表示し、且つ前記カスタマイズ設定画面から前記カスタマイズ画面へと画面を切り換えるための画面切換オブジェクトを表示し、
前記カスタマイズ画面は、複数の設定項目にそれぞれ対応する複数のオブジェクトを配置可能な設定項目エリアと、前記複数の設定項目の中からユーザが選択した１又は複数の前記カスタマイズ項目にそれぞれ対応する１又は複数のオブジェクトを配置可能なカスタマイズ項目エリアとを、表示し、
前記表示部は、前記カスタマイズ設定画面において前記画面切換オブジェクトが選択された場合に、前記カスタマイズ設定画面から前記カスタマイズ画面へと画面を切り換え、
前記操作部は、前記カスタマイズ画面が表示されている時に、前記設定項目エリアに配置されている前記オブジェクトを選択し前記カスタマイズ項目エリアへ移動する前記カスタマイズ操作、及び前記カスタマイズ項目エリアに配置されている前記オブジェクトを選択し前記設定項目エリアへ移動する前記カスタマイズ操作の少なくともいずれか一方を、ユーザから受け付け、前記カスタマイズ操作によって前記カスタマイズ設定画面における前記１又は複数のオブジェクトを設定する、
電子機器。
【請求項２】
前記カスタマイズ項目エリアに配置される前記オブジェクトの少なくとも１つは、前記カスタマイズ項目の現在値を示す外観を有する、
請求項１に記載の電子機器。
【請求項３】
前記設定項目エリアに配置される前記オブジェクトの少なくとも１つは、前記設定項目の現在値を示す外観を有する、
請求項１又は２に記載の電子機器。
【請求項４】
前記カスタマイズ項目を特定する情報を記憶する記憶部と、
前記カスタマイズ操作により前記カスタマイズ項目エリア及び前記設定項目エリアの少なくともいずれか一方へ移動した前記オブジェクトに対応する前記設定項目を特定する情報を、前記カスタマイズ項目を特定する情報として、前記記憶部に記憶させる登録部と、
をさらに備える、
請求項１から３のいずれかに記載の電子機器。
【請求項５】
前記カスタマイズ設定画面は、１又は複数のカスタマイズ項目の現在値の設定を、受け付ける、
請求項１から４のいずれかに記載の電子機器。
【請求項６】
前記表示部は、前記複数の設定項目のそれぞれの現在値の設定を、受け付ける設定画面をさらに表示する、
請求項１から５のいずれかに記載の電子機器。
【請求項７】
前記操作部は、前記表示部に重なるように配置されるタッチパネルであり、
前記カスタマイズ操作は、前記設定項目エリアに配置されている前記オブジェクトを前記カスタマイズ項目エリアへドラッグ・アンド・ドロップする操作と、前記カスタマイズ項目エリアに配置されている前記オブジェクトを前記設定項目エリアへドラッグ・アンド・ドロップする操作とを、含む、
請求項１から６のいずれかに記載の電子機器。
【発明の詳細な説明】
【技術分野】
【０００１】
ここに開示される技術は、複数の設定項目を有する電子機器に関する。
【背景技術】
【０００２】
特許文献１の特開平９−３０５３６０号公報には、テレビジョンシステムが開示されている。このテレビジョンシステムでは、ユーザが設定メニューに含まれる複数の設定項目の中から任意の設定項目を選択し、選択された設定項目からなるカスタマイズ設定メニューを作成することができる。
【先行技術文献】
【特許文献】
【０００３】
【特許文献１】特開平９−３０５３６０号公報
【発明の概要】
【発明が解決しようとする課題】
【０００４】
しかしながら、特許文献１の技術では、カスタマイズ設定メニューを作成すべく、設定メニューに含まれる複数の設定項目の中から任意の設定項目を選択する操作が、ユーザにとって煩雑であるという問題がある。
ここに開示される技術は、複数の設定項目の中から１又は複数のカスタマイズ項目を選択するユーザフレンドリーな操作を可能にする電子機器を提供することを目的とする。
【課題を解決するための手段】
【０００５】
ここに開示される技術に係る電子機器は、撮像装置である。本電子機器は、表示部と、操作部とを備える。表示部は、カスタマイズ設定画面と、カスタマイズ画面とを、表示する。
カスタマイズ設定画面は、撮影条件および再生条件の少なくとも一方に関する１又は複数のカスタマイズ項目における設定を受け付け、１又は複数のカスタマイズ項目にそれぞれ対応する１又は複数のオブジェクトを表示し、且つカスタマイズ設定画面からカスタマイズ画面へと画面を切り換えるための画面切換オブジェクトを表示する。カスタマイズ画面は、設定項目エリアと、カスタマイズ項目エリアとを表示する。設定項目エリアには、複数の設定項目にそれぞれ対応する複数のオブジェクトを配置可能である。カスタマイズ項目エリアには、複数の設定項目の中からユーザが選択した１又は複数のカスタマイズ項目にそれぞれ対応する１又は複数のオブジェクトを配置可能である。
【０００６】
表示部は、カスタマイズ設定画面において画面切換オブジェクトが選択された場合に、カスタマイズ設定画面からカスタマイズ画面へと画面を切り換える。そして、操作部は、カスタマイズ画面が表示されている時に、カスタマイズ操作をユーザから受け付ける。そして、操作部は、カスタマイズ操作によって、カスタマイズ設定画面における１又は複数のオブジェクトを、設定する。ここで、カスタマイズ操作は、設定項目エリアに配置されているオブジェクトを選択しカスタマイズ項目エリアへ移動する操作、及びカスタマイズ項目エリアに配置されているオブジェクトを選択し設定項目エリアへ移動するカスタマイズ操作の少なくともいずれか一方である。
【発明の効果】
【０００７】
ここに開示される技術によれば、複数の設定項目の中から１又は複数のカスタマイズ項目を選択するユーザフレンドリーな操作を可能にする電子機器を提供することができる。
【図面の簡単な説明】
【０００８】
【図１】第１実施形態に係るデジタルカメラの正面図。
【図２】第１実施形態に係るデジタルカメラの背面図。
【図３】第１実施形態に係るデジタルカメラのブロック図。
【図４】第１実施形態に係る設定メニュー画面を示す図。
【図５】第１実施形態に係る撮影待機画面を示す図。
【図６】（Ａ）クイック設定メニュー画面が表示される直前に表示される画面を示す図。（Ｂ）第１実施形態に係る「画像横縦比／記録画素数」を設定するためのクイック設定メニュー画面を示す図。
【図７】第１実施形態に係る「動画撮影モード／画質設定」を設定するためのクイック設定メニュー画面を示す図。
【図８】カスタマイズ項目の選択を促す画面を示す図。
【図９】（Ａ）第１実施形態に係る「ホワイトバランス」を設定するためのクイック設定メニュー画面を示す図。（Ｂ）第１実施形態に係る「クオリティ」を設定するためのクイック設定メニュー画面を示す図。（Ｃ）第１実施形態に係る「フォーカスモード」を設定するためのクイック設定メニュー画面を示す図。（Ｄ）第１実施形態に係る「フラッシュ」を設定するためのクイック設定メニュー画面を示す図。
【図１０】（Ａ）第１実施形態に係る「絞り」を設定するためのクイック設定メニュー画面を示す図。（Ｂ）第１実施形態に係る「シャッタースピード」を設定するためのクイック設定メニュー画面を示す図。（Ｃ）第１実施形態に係る「露出補正」を設定するためのクイック設定メニュー画面を示す図。（Ｄ）第１実施形態に係る「オートブラケット」を設定するためのクイック設定メニュー画面を示す図。
【図１１】第１実施形態に係るクイックカスタマイズ画面上でカスタマイズ項目が追加および削除される様子を示す図。
【図１２】第２実施形態に係るデジタルカメラの正面図。
【図１３】第２実施形態に係るデジタルカメラの背面図。
【図１４】第２実施形態に係るデジタルカメラのブロック図。
【図１５】第２実施形態に係る撮影待機画面から設定メニュー画面へ遷移する様子を示す図。
【図１６】第２実施形態に係るクイックカスタマイズ画面上でカスタマイズ項目が追加される様子を示す図。
【図１７】第２実施形態に係るクイックカスタマイズ画面上でカスタマイズ項目が削除される様子を示す図。
【図１８】第２実施形態に係るクイック設定メニュー画面上でカスタマイズ項目の現在値が変更される様子を示す図。
【図１９】変形例に係る撮影待機画面から設定メニュー画面へ遷移する様子を示す図。
【図２０】変形例に係るクイックカスタマイズ画面上でカスタマイズ項目が追加される様子を示す図。
【図２１】別の変形例に係るクイックカスタマイズ画面上でカスタマイズ項目が追加される様子を示す図。
【発明を実施するための形態】
【０００９】
〔１．第１実施形態〕
以下、図１〜図１１を参照しつつ、第１実施形態に係るデジタルカメラ１００（電子機器の一例）について説明する。デジタルカメラ１００は、動画および静止画を撮像する撮像装置である。
〔１−１．デジタルカメラの構成〕
図１に示すように、デジタルカメラ１００は、その正面に光学系１１０を収納するレンズ鏡筒およびフラッシュ１６０を備える。デジタルカメラ１００は、その上面に静止画レリーズ釦２０１、ズームレバー２０２および電源釦２０３などの操作ユニット１５０を備える。
【００１０】
図２に示すように、デジタルカメラ１００は、その背面に液晶モニタ１２３、タッチパネル１２５、中央釦２０４、十字釦２０５、動画レリーズ釦２０６、モード切替スイッチ２０７およびＱメニュー釦２０８などの操作ユニット１５０を備える。
図３に示すように、デジタルカメラ１００は、光学系１１０、ＣＣＤイメージセンサ１２０、ＡＦＥ（アナログ・フロント・エンド）１２１、画像処理部１２２、バッファメモリ１２４、液晶モニタ１２３、タッチパネル１２５、コントローラ１３０、カードスロット１４１、メモリカード１４０、フラッシュメモリ１４２、操作ユニット１５０およびフラッシュ１６０を備える。
【００１１】
光学系１１０は、被写体像を形成する。光学系１１０は、フォーカスレンズ１１１、ズームレンズ１１２、絞り１１３およびシャッタ１１４を有する。他の実施形態では、光学系１１０は、光学式手ぶれ補正レンズＯＩＳ（Ｏｐｔｉｃａｌ  Ｉｍａｇｅ  Ｓｔａｂｉｌｉｚｅｒ）を含むものであってもよい。光学系１１０に含まれるレンズは、何枚のレンズから構成されるものであってもよいし、何群のレンズから構成されるものであってもよい。
【００１２】
フォーカスレンズ１１１は、被写体のフォーカス状態を調節する。ズームレンズ１１２は、被写体の画角を調節する。絞り１１３は、ＣＣＤイメージセンサ１２０に入射する光量を調節する。シャッタ１１４は、ＣＣＤイメージセンサ１２０に入射する光の露出時間を調節する。フォーカスレンズ１１１、ズームレンズ１１２、絞り１１３およびシャッタ１１４は、それぞれＤＣモータ又はステッピングモータ等の駆動ユニットにより、コントローラ１３０から指令される制御信号に従って駆動される。
【００１３】
ＣＣＤイメージセンサ１２０は、光学系１１０により形成された被写体像を撮像する撮像素子である。ＣＣＤイメージセンサ１２０は、被写体像を写すフレーム（コマ）の画像データを生成する。
ＡＦＥ（Ａｎａｌｏｇ  Ｆｒｏｎｔ  Ｅｎｄ）１２１は、ＣＣＤイメージセンサ１２０により生成された画像データに対して各種処理を施す。具体的には、ＡＦＥ１２１は、相関二重サンプリングによる雑音抑圧、アナログゲインコントローラによるＡ／Ｄコンバータの入力レンジ幅への増幅、Ａ／ＤコンバータによるＡ／Ｄ変換等の処理を施す。
【００１４】
画像処理部１２２は、ＡＦＥ１２１により各種処理が施された画像データに対して各種処理を施す。具体的には、画像処理部１２２は、スミア補正、ホワイトバランス補正、ガンマ補正、ＹＣ変換処理、電子ズーム処理、圧縮処理等の処理を施す。画像処理部１２２は、本実施形態では、プログラムを実行するマイクロコンピュータであるが、他の実施形態では、ハードワイヤードな電子回路であってもよい。画像処理部１２２は、コントローラ１３０等と一体的に構成されるものであってもよい。
【００１５】
コントローラ１３０は、デジタルカメラ１００全体の動作を統括制御する。コントローラ１３０は、ＲＯＭおよびＣＰＵ等により構成される。ＲＯＭには、ファイル制御、オートフォーカス制御（ＡＦ制御）、自動露出制御（ＡＥ制御）、フラッシュ１６０の発光制御に関するプログラムの他、デジタルカメラ１００全体の動作を統括制御するためのプログラムが格納されている。コントローラ１３０は、画像処理部１２２により各種処理が施された画像データを静止画データ又は動画データとしてメモリカード１４０およびフラッシュメモリ１４２（以下、メモリカード１４０等）に記録する。コントローラ１３０は、本実施形態では、プログラムを実行するマイクロコンピュータであるが、他の実施形態では、ハードワイヤードな電子回路であってもよい。コントローラ１３０は、画像処理部１２２等と一体的に構成されるものであってもよい。
【００１６】
液晶モニタ１２３は、スルー画像および記録画像等の画像を表示する。スルー画像および記録画像は、画像処理部１２２により生成される。スルー画像は、デジタルカメラ１００が撮影モードに設定されている間、ＣＣＤイメージセンサ１２０により一定時間間隔で連続的に生成される一連の画像データに基づく一連の画像である。ユーザは、液晶モニタ１２３に表示されるスルー画像を参照することにより、被写体の構図を確認しながら撮影することができる。記録画像は、メモリカード１４０等に記録されている静止画データ又は動画データをデコード（伸張）することにより得られる画像である。記録画像は、デジタルカメラ１００が再生モードに設定されている時に、液晶モニタ１２３上に表示される。他の実施形態では、液晶モニタ１２３の代わりに、有機ＥＬディスプレイや、プラズマディスプレイ等、画像を表示可能な任意のディスプレイが使用され得る。
【００１７】
タッチパネル１２５は、液晶モニタ１２３と協調しつつ、ユーザから操作を受け付ける操作インターフェースである。タッチパネル１２５は、液晶モニタ１２３上に、液晶モニタ１２３に重なるような態様で配置されている。コントローラ１３０は、ユーザによりタッチされたタッチパネル１２５上の領域（以下、タッチ領域）の座標を検出する。コントローラ１３０は、タッチパネル１２５上のタッチ領域に対応する液晶モニタ１２３上の領域に表示されているオブジェクトを判断し、そのオブジェクトが選択されたことに対応する所定の処理を実行する。例えば、コントローラ１３０は、液晶モニタ１２３に図５の撮影待機画面Ｓ２が表示されている状態で、ユーザにより「Ｑメニュー」アイコンＩｍに対応するタッチパネル１２５上の領域がタッチされたと判断すると、液晶モニタ１２３の表示を図６（Ｂ）のクイック設定メニュー画面Ｓ４（後述される）に切り替える。
【００１８】
バッファメモリ１２４は、画像処理部１２２およびコントローラ１３０のワークメモリとして機能する揮発性の記憶媒体である。本実施形態では、バッファメモリ１２４は、ＤＲＡＭである。
フラッシュメモリ１４２は、デジタルカメラ１００の内部メモリである。フラッシュメモリ１４２は、不揮発性の記録媒体である。フラッシュメモリ１４２は、カスタマイズ項目登録領域１４２ａおよび現在値保持領域１４２ｂを有する。領域１４２ａ，１４２ｂの詳細については、後述する。
【００１９】
カードスロット１４１には、メモリカード１４０が着脱可能に挿入される。カードスロット１４１は、メモリカード１４０と電気的及び機械的に接続される。
メモリカード１４０は、デジタルカメラ１００の外部メモリである。メモリカード１４０は、不揮発性の記録媒体である。
操作ユニット１５０は、ユーザから操作を受け付ける操作インターフェースである。操作ユニット１５０は、デジタルカメラ１００の外装に配置される操作釦や操作ダイヤル等の総称である。操作ユニット１５０は、静止画レリーズ釦２０１、動画レリーズ釦２０６、ズームレバー２０２、電源釦２０３、中央釦２０４、十字釦２０５、Ｑメニュー釦２０８およびモード切替スイッチ２０７を含む。操作ユニット１５０は、ユーザから操作を受け付けると、直ちに操作の内容を示す信号をコントローラ１３０に送信する。
【００２０】
静止画レリーズ釦２０１は、静止画記録のタイミングを指示するための押下式釦である。動画レリーズ釦２０６は、動画記録の開始／終了のタイミングを指示するための押下式釦である。コントローラ１３０は、レリーズ釦２０１，２０６が押下されたタイミングに合わせて静止画データ又は動画データを画像処理部１２２等に生成させ、メモリカード１４０等内に格納する。
【００２１】
ズームレバー２０２は、画角を広角端と望遠端との間で調節するためのレバーである。コントローラ１３０は、ズームレバー２０２に対するユーザの操作に応じて、ズームレンズ１１２を駆動する。
電源釦２０３は、デジタルカメラ１００の各部への電力供給のＯＮとＯＦＦとを切り替えるための押下式釦である。
【００２２】
中央釦２０４および十字釦２０５は、押下式釦である。ユーザは、中央釦２０４および十字釦２０５を操作することにより、液晶モニタ１２３に様々な設定画面（後述する設定メニュー画面Ｓ１およびクイック設定メニュー画面Ｓ４を含む）を表示し、設定画面上で様々な撮影条件および再生条件に関する設定項目の値を設定することができる。
Ｑメニュー釦２０８は、クイック設定メニュー画面Ｓ４に遷移するための釦である。コントローラ１３０は、ユーザによりＱメニュー釦２０８が押されると、液晶モニタ１２３にクイック設定メニュー画面Ｓ４を表示させる。
モード切替スイッチ２０７は、デジタルカメラ１００を撮影モードおよび再生モードに切り替えるための押下式釦である。
【００２３】
〔１−２．設定メニュー画面〕
ユーザが操作ユニット１５０および／またはタッチパネル１２５に対し所定の操作を行うと、液晶モニタ１２３に図４に示す設定メニュー画面Ｓ１（設定画面の一例）が表示される。ここでいう所定の操作とは、例えば、液晶モニタ１２３に図５に示す撮影待機画面Ｓ２が表示されている時に、中央釦２０４を押下する操作である。しかしながら、操作ユニット１５０および／またはタッチパネル１２５に対する他の操作によっても、設定メニュー画面Ｓ１に遷移することができるものとする。
【００２４】
設定メニュー画面Ｓ１は、デジタルカメラ１００の撮影条件に関する複数の設定項目のそれぞれの現在値の設定を受け付ける画面である。本実施形態に係る撮影条件に関する設定項目には、「画像横縦比」「記録画素数」「クオリティ」「個人認証」「フォーカスモード」「動画撮影モード／画質設定」「ホワイトバランス」「フラッシュ」「絞り」「シャッタースピード」「露出補正」「オートブラケット」等が含まれる。しかしながら、他の実施形態に係る設定項目は、このような例に限定されない。
【００２５】
図４に示す設定メニュー画面Ｓ１は、デジタルカメラ１００の撮影条件に関する複数の設定項目にそれぞれ対応する複数のオブジェクトＯ１を一覧表示する画面である。オブジェクトＯ１は、文字部分Ｏ１ｌおよび図形部分Ｏ１ｐを含む。オブジェクトＯ１の文字部分Ｏ１ｌは、そのオブジェクトＯ１に対応する設定項目の項目名を文字により示す。オブジェクトＯ１の図形部分Ｏ１ｐは、そのオブジェクトＯ１に対応する設定項目の項目名又は現在値を図形等により模式的に示す。コントローラ１３０は、必要に応じてオブジェクトＯ１の図形部分Ｏ１ｐを、そのオブジェクトＯ１に対応する設定項目の現在値を示す形状にする。設定項目の現在値は、現在値保持領域１４２ｂを参照することにより判断される。現在値保持領域１４２ｂは、デジタルカメラ１００の設定項目の現在値を保持する記憶領域である。従って、オブジェクトＯ１は、主としてそのオブジェクトＯ１に対応する設定項目の種類を示す。具体的には、本実施形態の「フォーカスモード」に対応するオブジェクトＯ１は、「Ｆｕｃｕｓ」の文字の図案を含む図形部分Ｏ１ｐと、「フォーカスモード」の文字を含む文字部分Ｏ１ｌとを左右に並べた形状を有する。
【００２６】
ユーザは、操作ユニット１５０および／またはタッチパネル１２５に対し所定の操作を行うことにより、設定メニュー画面Ｓ１上のオブジェクトＯ１の一覧の中から、特定のオブジェクトＯ１を選択することができる。設定メニュー画面Ｓ１上では、特定のオブジェクトＯ１が選択されている状態では、そのオブジェクトＯ１の右側付近に、そのオブジェクトＯ１に対応する設定項目の複数の候補値にそれぞれ対応する複数のオブジェクトＯ１ｏが一覧表示される。オブジェクトＯ１ｏは、そのオブジェクトＯ１ｏに対応する候補値を文字により示す。具体的には、本実施形態の「フォーカスモード」の候補値に対応するオブジェクトＯ１ｏには、それぞれ「ＡＦＳ」「ＡＦＣ」「ＭＦ」の文字を含む３つのオブジェクトが含まれる。
【００２７】
ユーザは、操作ユニット１５０および／またはタッチパネル１２５に対し所定の操作を行うことにより、設定メニュー画面Ｓ１上のオブジェクトＯ１ｏの一覧の中から、特定のオブジェクトＯ１ｏを選択することができる。特定のオブジェクトＯ１ｏが選択されると、そのオブジェクトＯ１ｏに対応する候補値が、現在選択されているオブジェクトＯ１に対応する設定項目の現在値として、現在値保持領域１４２ｂに登録される。
【００２８】
なお、他の実施形態では、オブジェクトＯ１およびオブジェクトＯ１ｏの形状は、上述したものに限定されず、任意の形状とされ得る。例えば、オブジェクトＯ１は、文字部分Ｏ１ｌのみを含むものであっても、図形部分Ｏ１ｐのみを含むものであってもよい。オブジェクトＯ１ｏは、文字および図形の両方を含むものであってもよいし、図形のみを含むものであってもよい。
【００２９】
〔１−３．クイック設定メニュー画面〕
ユーザが操作ユニット１５０および／またはタッチパネル１２５に対し所定の操作を行うと、デジタルカメラ１００が撮影モードに遷移する。ここでいう所定の操作とは、例えば、モード切替スイッチ２０７を撮影モード側にスイッチする操作である。しかしながら、操作ユニット１５０および／またはタッチパネル１２５に対する他の操作によっても、撮影モードに遷移することができるものとする。デジタルカメラ１００が撮影モードに設定されている間、液晶モニタ１２３には、図５に示す撮影待機画面Ｓ２が表示される。撮影待機画面Ｓ２上には、「Ｑメニュー」アイコンＩｍが配置されている。
【００３０】
ユーザが操作ユニット１５０および／またはタッチパネル１２５を操作することにより、撮影待機画面Ｓ２上の「Ｑメニュー」アイコンＩｍを選択すると、液晶モニタ１２３には、図６（Ａ）に示すテンポラリ画面Ｓ３又は図８に示すエラー画面Ｓ５が表示される。具体的には、「Ｑメニュー」アイコンＩｍが選択されると、コントローラ１３０は、カスタマイズ項目登録領域１４２ａを参照することにより、カスタマイズ項目の数を判断する。カスタマイズ項目の数が０であると判断される場合には、コントローラ１３０は、液晶モニタ１２３にエラー画面Ｓ５を表示させる。一方、カスタマイズ項目の数が１以上であると判断される場合には、コントローラ１３０は、液晶モニタ１２３にテンポラリ画面Ｓ３を所定の時間（例えば、０．３秒間）表示させ、その後、図６（Ｂ）のクイック設定メニュー画面Ｓ４（カスタマイズ設定画面の一例）を表示させる。
【００３１】
カスタマイズ項目とは、デジタルカメラ１００の撮影条件に関する複数の設定項目の中から、後述するクイックカスタマイズ画面Ｓ６上でユーザが選択した設定項目である。クイックカスタマイズ画面Ｓ６上でユーザが選択した設定項目は、カスタマイズ項目として、カスタマイズ項目登録領域１４２ａに登録される。カスタマイズ項目登録領域１４２ａは、０又は１以上のカスタマイズ項目を特定する情報を記憶する領域である。本実施形態では、カスタマイズ項目の数には、上限値が定められていない。しかしながら、他の実施形態では、カスタマイズ項目の数に、１又は複数の所定の上限値が定められていてもよい。
【００３２】
クイック設定メニュー画面Ｓ４は、デジタルカメラ１００の撮影条件に関する複数の設定項目のうち、カスタマイズ項目のみの現在値の設定を受け付ける画面である。クイック設定メニュー画面Ｓ４は、項目名エリアＡ１、カスタマイズ項目一覧エリアＡ２および候補値一覧エリアＡ３を同時に表示する。
カスタマイズ項目一覧エリアＡ２は、１以上の全てのカスタマイズ項目にそれぞれ対応する１以上のオブジェクトＯ４ｃを一覧表示するエリアである。カスタマイズ項目一覧エリアＡ２内では、同時に表示可能なオブジェクトＯ４ｃの数は有限（本実施形態では、最大５つ）である。従って、図６（Ｂ）に示すように、カスタマイズ項目一覧エリアＡ２には、左右を向いた矢印のオブジェクトが配置されている。ユーザは、操作ユニット１５０および／またはタッチパネル１２５を介して矢印のオブジェクトを選択することにより、カスタマイズ項目一覧エリアＡ２内のオブジェクトＯ４ｃの列を左右にスクロールさせることができる。その結果、ユーザは、カスタマイズ項目一覧エリアＡ２内に、全てのカスタマイズ項目に対応するオブジェクトＯ４ｃを表示させることができる。
【００３３】
オブジェクトＯ４ｃは、そのオブジェクトＯ４ｃに対応するカスタマイズ項目の種類又は現在値を図形等により模式的に示すアイコンである。従って、ユーザは、オブジェクトＯ４ｃを一目見るだけで、直感的にそのオブジェクトＯ４ｃに対応するカスタマイズ項目の種類又は現在値を把握することができる。オブジェクトＯ４ｃがカスタマイズ項目の種類又は現在値のいずれを示すのかは、オブジェクトＯ４ｃに対応するカスタマイズ項目の種類による。図６（Ｂ）に示す一番左のオブジェクトＯ４ｃの例では、「画像横縦比／記録画素数」の現在値である「１６：９／Ｌ」を示している。
【００３４】
上記のとおり、カスタマイズ項目一覧エリアＡ２内には、カスタマイズ項目の現在値を示すオブジェクトＯ４ｃが一覧表示され得る。従って、カスタマイズ項目一覧エリアＡ２は、カスタマイズ項目の現在値の一覧表示エリアとしても機能し得る。
ユーザは、操作ユニット１５０および／またはタッチパネル１２５に対し所定の操作を行うことにより、カスタマイズ項目一覧エリアＡ２内の１以上のオブジェクトＯ４ｃの中から、特定のオブジェクトＯ１ｏを選択することができる。カスタマイズ項目一覧エリアＡ２内では、現在選択されているオブジェクトＯ４ｃ（以下、選択オブジェクトＯ４ｃｓ）と、その他のオブジェクトＯ４ｃ（以下、非選択オブジェクトＯ４ｃｎ）とは、異なる色調で表示される。本実施形態では、選択オブジェクトＯ４ｃｓは、特定の配色（例えば、黄色と黒等）によるベタ塗りの色調であるが、非選択オブジェクトＯ４ｃｎは、別の特定の配色（例えば、白と黒等）がされ、透過度が高く、背景が透けて見える色調である。
【００３５】
項目名エリアＡ１は、選択オブジェクトＯ４ｃｓに対応するカスタマイズ項目の項目名を文字により示すエリアである。従って、項目名エリアＡ１は、選択オブジェクトＯ４ｃｓに対応するカスタマイズ項目の種類を示す。
候補値一覧エリアＡ３は、選択オブジェクトＯ４ｃｓに対応するカスタマイズ項目の複数の候補値にそれぞれ対応する複数のオブジェクトＯ４ｏを一覧表示するエリアである。オブジェクトＯ４ｏは、そのオブジェクトＯ４ｏに対応する候補値を図形等により模式的に示すアイコンである。従って、ユーザは、オブジェクトＯ４ｏを一目見るだけで、直感的にそのオブジェクトＯ４ｏに対応する候補値を把握することができる。
【００３６】
候補値一覧エリアＡ３内では、１のオブジェクトＯ４ｏが選択されている状態となる。候補値一覧エリアＡ３内では、現在選択されているオブジェクトＯ４ｏ（以下、選択オブジェクトＯ４ｏｓ）と、その他のオブジェクトＯ４ｏ（以下、非選択オブジェクトＯ４ｏｎ）とは、異なる色調で表示される。本実施形態では、選択オブジェクトＯ４ｏｓは、特定の配色（例えば、黄色と黒等）によるベタ塗りの色調であるが、非選択オブジェクトＯ４ｏｎは、別の特定の配色（例えば、白と黒等）がされ、透過度が高く、背景が透けて見える色調である。テンポラリ画面Ｓ３からクイック設定メニュー画面Ｓ４に遷移した直後の選択オブジェクトＯ４ｏｓは、選択オブジェクトＯ４ｃｓに対応するカスタマイズ項目の現在値を示す。
【００３７】
ユーザは、操作ユニット１５０および／またはタッチパネル１２５に対し所定の操作を行うことにより、候補値一覧エリアＡ３内の非選択オブジェクトＯ４ｏｎのいずれかを選択することができる。ユーザにより非選択オブジェクトＯ４ｏｎのいずれかが選択されると、選択された非選択オブジェクトＯ４ｏｎと選択オブジェクトＯ４ｏｓとが入れ替わる。その結果、選択オブジェクトＯ４ｃｓに対応するカスタマイズ項目の現在値が、新たな選択オブジェクトＯ４ｏｓに対応する候補値に変更される。コントローラ１３０は、選択オブジェクトＯ４ｃｓに対応するカスタマイズ項目の現在値の変更を、現在値保持領域１４２ｂに登録する。
【００３８】
また、ユーザは、操作ユニット１５０および／またはタッチパネル１２５に対し所定の操作を行うことにより、カスタマイズ項目一覧エリアＡ２内の非選択オブジェクトＯ４ｃｎのいずれかを選択することができる。ユーザにより非選択オブジェクトＯ４ｃｎのいずれかが選択されると、選択された非選択オブジェクトＯ４ｃｎと選択オブジェクトＯ４ｃｓとが入れ替わる。その結果、候補値一覧エリアＡ３内では、新たな選択オブジェクトＯ４ｃｓに対応するカスタマイズ項目の候補値が一覧表示される。例えば、図６（Ｂ）に示すクイック設定メニュー画面Ｓ４上の「動画撮影モード／画質設定」に対応する非選択オブジェクトＯ４ｃｎが選択されると、図７に示すクイック設定メニュー画面Ｓ４に遷移する。
【００３９】
上記のとおり、オブジェクトＯ４ｃには、カスタマイズ項目の種類を示すものと、現在値を示すものとがある。図９（Ａ）〜図９（Ｄ）のクイック設定メニュー画面Ｓ４は、選択オブジェクトＯ４ｃｓがカスタマイズ項目の現在値を示す場合の例である。図１０（Ａ）〜図１０（Ｄ）のクイック設定メニュー画面Ｓ４は、選択オブジェクトＯ４ｃｓがカスタマイズ項目の種類を示す場合の例である。図１０（Ａ）〜図１０（Ｃ）の「絞り」「シャッタースピード」「露出補正」のような設定項目の値は、アナログに変化する、又はデジタルに小刻みに変化する。従って、このようなタイプの設定項目は、図６（Ｂ）、図７および図９（Ａ）〜図９（Ｄ）の例のように、候補値一覧エリアＡ３内に全ての候補値のオブジェクトＯ４ｏを一覧表示するのには適さない。従って、このようなタイプの設定項目については、候補値一覧エリアＡ３内に、候補値のオブジェクトＯ４ｏの一覧の代わりに、メータが表示される。ユーザは、操作ユニット１５０および／またはタッチパネル１２５を介してメータのバーを移動させることにより、設定項目の現在値をアナログに変化させる、又は小刻みにデジタルに変化させることができる。なお、図１０（Ｄ）の「オートブラケット」の例では、候補値一覧エリアＡ３内に、候補値のオブジェクトＯ４ｏに加え、メータが表示される。本実施形態では、「オートブラケット」のメータは、非アクティブである。言い換えると、「オートブラケット」のメータは、「オートブラケット」の候補値の意味をユーザが直感的に理解できるように表示するものである。つまり、ユーザは、操作ユニット１５０および／またはタッチパネル１２５を介してメータのバーを移動させることはできない。しかし、他の実施形態では、「オートブラケット」のメータは、アクティブであってもよい。言い換えると、ユーザが操作ユニット１５０および／またはタッチパネル１２５を介してメータのバーを移動させることにより、「オートブラケット」の現在値をアナログに変化させる、又は小刻みにデジタルに変化させることができるようになっていてもよい。
【００４０】
図６（Ａ）のテンポラリ画面Ｓ３は、図６（Ｂ）のクイック設定メニュー画面Ｓ４から、候補値一覧エリアＡ３を省略した画面である。テンポラリ画面Ｓ３は、クイック設定メニュー画面Ｓ４に遷移する直前の僅かな時間だけ表示される。従って、ユーザは、カスタマイズ項目一覧エリアＡ２内のカスタマイズ項目の一覧を見た後、僅かな時間遅れて、候補値一覧エリアＡ３内のカスタマイズ項目の候補値の一覧を見ることになる。その結果、ユーザは、候補値一覧エリアＡ３内に表示されるオブジェクトＯ４ｏがカスタマイズ項目一覧エリアＡ２内に表示されるオブジェクトＯ４ｃの下位概念であること（オブジェクトＯ４ｏとオブジェクトＯ４ｃとが従属関係にあること）を直感的に理解することができる。
【００４１】
テンポラリ画面Ｓ３およびクイック設定メニュー画面Ｓ４の左下には、「Ｑカスタマイズ」アイコンＩｃが配置されている。ユーザは、操作ユニット１５０および／またはタッチパネル１２５に対し所定の操作を行うことにより、画面Ｓ３，Ｓ４上の「Ｑカスタマイズ」アイコンＩｃを選択することができる。「Ｑカスタマイズ」アイコンＩｃが選択されると、コントローラ１３０は、液晶モニタ１２３に後述するクイックカスタマイズ画面Ｓ６を表示させる。
【００４２】
図８に示すエラー画面Ｓ５は、上記のとおり、撮影待機画面Ｓ２上の「Ｑメニュー」アイコンＩｍが選択された時にカスタマイズ項目の数が０である場合に表示される画面である。エラー画面Ｓ５は、ユーザにカスタマイズ項目の選択を促すメッセージを表示する。エラー画面Ｓ５上には、「Ｑカスタマイズ」アイコンＩｃが配置されている。ユーザは、操作ユニット１５０および／またはタッチパネル１２５に対し所定の操作を行うことにより、画面Ｓ５上の「Ｑカスタマイズ」アイコンＩｃを選択することができる。「Ｑカスタマイズ」アイコンＩｃが選択されると、コントローラ１３０は、液晶モニタ１２３に後述するクイックカスタマイズ画面Ｓ６を表示させる。従って、カスタマイズ項目の選択を促すメッセージを見たユーザは、「Ｑカスタマイズ」アイコンＩｃを選択することにより、直ちに液晶モニタ１２３にクイックカスタマイズ画面Ｓ６を表示させることができる。クイックカスタマイズ画面Ｓ６は、デジタルカメラ１００の撮影条件に関する複数の設定項目の中からのカスタマイズ項目の選択をユーザから受け付ける画面である。
【００４３】
クイック設定メニュー画面Ｓ４は、コントローラ１３０により作成される。画面Ｓ４の表示が命じられると、コントローラ１３０は、カスタマイズ項目登録領域１４２ａを参照することにより、カスタマイズ項目を特定する。続いて、コントローラ１３０は、特定したカスタマイズ項目に対応するオブジェクトＯ４ｃをカスタマイズ項目一覧エリアＡ２内に配置する。コントローラ１３０は、現在値保持領域１４２ｂを参照することにより、必要に応じてオブジェクトＯ４ｃの形状をそのオブジェクトＯ４ｃに対応するカスタマイズ項目の現在値に応じた形状とする。同時に、コントローラ１３０は、選択オブジェクトＯ４ｃｓに対応するカスタマイズ項目の候補値にそれぞれ対応するオブジェクトＯ４ｏを候補値一覧エリアＡ３内に配置する。
【００４４】
〔１−４．クイックカスタマイズ画面〕
上記のとおり、画面Ｓ３，Ｓ４，Ｓ５上の「Ｑカスタマイズ」アイコンＩｃが選択されることにより、液晶モニタ１２３にクイックカスタマイズ画面Ｓ６（カスタマイズ画面の一例）が表示される。しかしながら、操作ユニット１５０および／またはタッチパネル１２５に対する他の操作によっても、クイックカスタマイズ画面Ｓ６を表示することができる。
【００４５】
図１１の（ａ）に示すように、クイックカスタマイズ画面Ｓ６に遷移した直後の数秒間（例えば、３秒間、５秒間など）、メッセージウィンドウＷ１がクイックカスタマイズ画面Ｓ６に重なるように表示され、その後、消える。メッセージウィンドウＷ１は、カスタマイズ項目の追加および削除の操作の方法をガイダンスするメッセージを表示する。なお、本実施形態では、メッセージウィンドウＷ１は、自動的に消えるものとしたが、他の実施形態では、所定の操作がされることを条件に消えるものとしてもよい。
【００４６】
図１１の（ｂ）に示すように、クイックカスタマイズ画面Ｓ６は、設定項目エリアＡ４（設定項目エリアの一例）およびカスタマイズ項目エリアＡ５（カスタマイズ項目エリアの一例）を同時に表示する。設定項目エリアＡ４は、デジタルカメラ１００の撮影条件に関する複数の設定項目にそれぞれ対応する複数のオブジェクトＯ６ｏ（設定項目エリアに配置されるオブジェクトの一例）を配置可能なエリアである。言い換えると、設定項目エリアＡ４は、デジタルカメラ１００の撮影条件に関する複数の設定項目にそれぞれ対応する複数のオブジェクトＯ６ｏを一覧表示するエリアである。カスタマイズ項目エリアＡ５は、デジタルカメラ１００の撮影条件に関する複数の設定項目の中からユーザが選択した１以上のカスタマイズ項目にそれぞれ対応する１以上のオブジェクトＯ６ｃ（カスタマイズ項目エリアに配置されるオブジェクトの一例）を配置可能なエリアである。言い換えると、カスタマイズ項目エリアＡ５は、１以上のカスタマイズ項目にそれぞれ対応する１以上のオブジェクトＯ６ｃを一覧表示するエリアである。
【００４７】
図１１の（ｃ）〜（ｆ）に示すように、ユーザは、カスタマイズ項目を追加又は削除したい場合には、タッチパネル１２５に対しカスタマイズ操作を行うことにより、カスタマイズ項目エリアＡ５をカスタマイズする。
具体的には、カスタマイズ項目を追加する場合のカスタマイズ操作とは、設定項目エリアＡ４に配置されている、カスタマイズ項目として追加しようとする設定項目に対応するオブジェクトＯ６ｏを、カスタマイズ項目エリアＡ５の任意の空き領域Ｅ１へドラッグ・アンド・ドロップする操作である（図１１の（ｃ）および（ｄ）参照）。空き領域Ｅ１は、オブジェクトＯ６ｃが配置されていないカスタマイズ項目エリアＡ５内の領域であって、オブジェクトＯ６ｏ，Ｏ６ｃと略同等のサイズを有する領域である。オブジェクトＯ６ｏと、オブジェクトＯ６ｃとは、略同等のサイズを有する。コントローラ１３０は、カスタマイズ操作により設定項目エリアＡ４からカスタマイズ項目エリアＡ５へ移動したオブジェクトＯ６ｏに対応する設定項目を特定する情報を、カスタマイズ項目を特定する情報としてカスタマイズ項目登録領域１４２ａに記憶させる。
【００４８】
設定項目エリアＡ４内では、カスタマイズ項目として登録済みの設定項目に対応するオブジェクトＯ６ｏは、ユーザが選択できないようにグレーアウト表示される（図１１の（ｄ）参照）。
一方、カスタマイズ項目を削除する場合のカスタマイズ操作とは、カスタマイズ項目エリアＡ５に配置されている、削除しようとするカスタマイズ項目に対応するオブジェクトＯ６ｃを、設定項目エリアＡ４内の任意の場所へドラッグ・アンド・ドロップする操作である（図１１の（ｅ）および（ｆ）参照）。カスタマイズ項目エリアＡ５内のオブジェクトＯ６ｃが選択されると、設定項目エリアＡ４に重なるように、ドロップ先を誘導するメッセージウィンドウＷ２が表示される。従って、ユーザは、ドラッグしたオブジェクトＯ６ｃの移動先に迷うことがない。コントローラ１３０は、カスタマイズ操作によりカスタマイズ項目エリアＡ５から設定項目エリアＡ４へ移動したオブジェクトＯ６ｃに対応するカスタマイズ項目を特定する情報を、カスタマイズ項目登録領域１４２ａから削除する。
【００４９】
カスタマイズ項目エリアＡ５内の、削除されたカスタマイズ項目に対応するオブジェクトＯ６ｃが配置されていた領域は、空き領域Ｅ１となる（図１１の（ｆ）参照）。また、設定項目エリアＡ４内では、削除されたカスタマイズ項目（設定項目）に対応するオブジェクトＯ６ｏのグレーアウト表示が解除される。
なお、カスタマイズ操作は、操作ユニット１５０に対しても行うことができる。従って、ユーザは、タッチパネル１２５に対し所定の操作を行う場合だけでなく、操作ユニット１５０に対し所定の操作を行う場合にも、設定項目エリアＡ４又はカスタマイズ項目エリアＡ５に配置されているオブジェクトＯ６ｏ，Ｏ６ｃを選択し、それぞれカスタマイズ項目エリアＡ５又は設定項目エリアＡ４へ移動することができる。
【００５０】
本実施形態では、カスタマイズ項目の数には、上限値が定められていない。また、カスタマイズ項目エリアＡ５内では、同時に表示可能なオブジェクトＯ６ｃの数は有限（本実施形態では、最大５つ）である。従って、図１１に示すように、カスタマイズ項目エリアＡ５には、左右を向いた矢印のオブジェクトが配置されている。ユーザは、操作ユニット１５０および／またはタッチパネル１２５を介して矢印のオブジェクトを選択することにより、カスタマイズ項目エリアＡ５内のオブジェクトＯ６ｃの列を左右にスクロールさせることができる。その結果、ユーザは、カスタマイズ項目エリアＡ５内に、全てのカスタマイズ項目に対応するオブジェクトＯ６ｃを表示させることができる。
【００５１】
また、設定項目エリアＡ４内では、同時に表示可能なオブジェクトＯ６ｏの数は有限（本実施形態では、最大８つ）である。従って、図１１に示すように、設定項目エリアＡ４には、左右を向いた矢印のオブジェクトが配置されている。ユーザは、操作ユニット１５０および／またはタッチパネル１２５を介して矢印のオブジェクトを選択することにより、設定項目エリアＡ４内のオブジェクトＯ６ｏの列を左右にスクロールさせることができる。その結果、ユーザは、設定項目エリアＡ４内に、デジタルカメラ１００の撮影条件に関する全ての設定項目に対応するオブジェクトＯ６ｃを表示させることができる。
【００５２】
オブジェクトＯ６ｃ，Ｏ６ｏは、そのオブジェクトＯ６ｃ，Ｏ６ｏに対応する設定項目の種類又は現在値を図形等により模式的に示すアイコンである。従って、ユーザは、オブジェクトＯ６ｃ，Ｏ６ｏを一目見るだけで、直感的にそのオブジェクトＯ６ｃ，Ｏ６ｏに対応する設定項目の種類又は現在値を把握することができる。オブジェクトＯ６ｃ，Ｏ６ｏが設定項目の種類又は現在値のいずれを示すのかは、オブジェクトＯ６ｃ，Ｏ６ｏに対応する設定項目の種類による。オブジェクトＯ６ｃ，Ｏ６ｏは、同じ設定項目に対応するオブジェクトＯ４ｃと同じ外観を有する。従って、設定項目エリアＡ４内には、設定項目の現在値を示す外観を有するオブジェクトＯ６ｏと、設定項目の種類を示す外観を有するオブジェクトＯ６ｏとが配置される。また、カスタマイズ項目エリアＡ５内には、どのような種類のカスタマイズ項目が登録されているのかに応じて、カスタマイズ項目の現在値を示す外観を有するオブジェクトＯ６ｃ、および／又はカスタマイズ項目の種類を示す外観を有するオブジェクトＯ６ｃが配置される。
【００５３】
上記のとおり、カスタマイズ項目エリアＡ５内には、カスタマイズ項目の現在値を示すオブジェクトＯ６ｃが一覧表示され得る。従って、カスタマイズ項目エリアＡ５は、カスタマイズ項目の現在値の一覧表示エリアとしても機能し得る。
クイックカスタマイズ画面Ｓ６は、コントローラ１３０により作成される。画面Ｓ６の表示が命じられると、コントローラ１３０は、カスタマイズ項目登録領域１４２ａを参照することにより、カスタマイズ項目を特定する。続いて、コントローラ１３０は、特定したカスタマイズ項目に対応するオブジェクトＯ６ｃをカスタマイズ項目エリアＡ５内に配置する。コントローラ１３０は、現在値保持領域１４２ｂを参照することにより、必要に応じてオブジェクトＯ６ｃの形状をそのオブジェクトＯ６ｃに対応するカスタマイズ項目の現在値に応じた形状とする。同時に、コントローラ１３０は、カスタマイズ項目として特定されなかった設定項目に対応するオブジェクトＯ６ｏを設定項目エリアＡ４内に配置する。コントローラ１３０は、現在値保持領域１４２ｂを参照することにより、必要に応じてオブジェクトＯ６ｏの形状をそのオブジェクトＯ６ｏに対応する設定項目の現在値に応じた形状とする。
【００５４】
〔２．第２実施形態〕
以下、図１２〜図１８を参照しつつ、第２実施形態に係るデジタルカメラ２００（電子機器の一例）について説明する。ここでは、第１実施形態に係るデジタルカメラ１００との差異を中心として、デジタルカメラ２００について説明する。第１実施形態と第２実施形態とで共通する要素には、同じ符号を付して説明を省略する。
【００５５】
図１３に示されるように、デジタルカメラ２００は、デジタルカメラ１００と比較すると、中央釦２０４、十字釦２０５およびＱメニュー釦２０８が省略されている。デジタルカメラ２００では、デジタルカメラ１００と比較すると、撮影待機画面Ｓ２の代わりに、類似の機能を有する撮影待機画面Ｓ１１が表示され、設定メニュー画面Ｓ１の代わりに、類似の機能を有する設定メニュー画面Ｓ１３が表示され、クイック設定メニュー画面Ｓ４の代わりに、類似の機能を有するクイック設定メニュー画面Ｓ１５が表示され、クイックカスタマイズ画面Ｓ６の代わりに、類似の機能を有するクイックカスタマイズ画面Ｓ１４が表示される。
【００５６】
〔２−１．設定メニュー画面〕
ユーザがタッチパネル１２５に対し所定の操作を行うと、デジタルカメラ２００が撮影モードに遷移する。デジタルカメラ２００が撮影モードに設定されている間、液晶モニタ１２３には、図１５の（ａ）に示す撮影待機画面Ｓ１１が表示される。撮影待機画面Ｓ１１には、「メニュー」アイコンＩａが配置されている。ユーザがタッチパネル１２５を介し「メニュー」アイコンＩａを選択すると、図１５の（ｂ）に示す画面Ｓ１２に遷移する。ユーザがタッチパネル１２５を介し画面Ｓ１２上の「撮影」アイコンＩｂを選択すると、図１５の（ｃ）に示す設定メニュー画面Ｓ１３（設定画面の一例）に遷移する。
【００５７】
設定メニュー画面Ｓ１３は、デジタルカメラ２００の撮影条件に関する複数の設定項目のそれぞれの現在値の設定を受け付ける画面である。設定メニュー画面Ｓ１３は、項目名エリアＡ１１、設定項目一覧エリアＡ１２、候補値一覧エリアＡ１３およびメッセージエリアＡ１４を表示する。
設定項目一覧エリアＡ１２は、デジタルカメラ２００の撮影条件に関する複数の設定項目にそれぞれ対応する複数のオブジェクトＯ１１を一覧表示するエリアである。オブジェクトＯ１１は、そのオブジェクトＯ１１に対応する設定項目の種類又は現在値を図形等により模式的に示すアイコンである。コントローラ１３０は、オブジェクトＯ１１を、そのオブジェクトＯ１１に対応する設定項目の種類又は現在値を示す形状にする。
【００５８】
図１５の（ｃ）および（ｄ）に示すように、ユーザがタッチパネル１２５を介し設定項目一覧エリアＡ１２内の特定のオブジェクトＯ１１を選択すると、候補値一覧エリアＡ１３およびメッセージエリアＡ１４が表示される。候補値一覧エリアＡ１３内では、現在選択されているオブジェクトＯ１１に対応する設定項目の複数の候補値にそれぞれ対応する複数のオブジェクトＯ１２が一覧表示される。候補値一覧エリアＡ１３内では、現在値に対応するオブジェクトＯ１２と、その他のオブジェクトＯ１２とが異なる色調で表示される。メッセージエリアＡ１４は、現在選択されているオブジェクトＯ１１に対応する設定項目の説明と、現在選択されているオブジェクトＯ１２に対応する候補値の説明とを表示する。
【００５９】
図１５の（ｄ）および（ｅ）に示すように、ユーザがタッチパネル１２５を介し候補値一覧エリアＡ１３内の現在値に対応するオブジェクトＯ１２以外のオブジェクトＯ１２を選択すると、メッセージエリアＡ１４内に表示される説明が、選択されたオブジェクトＯ１２に対応する候補値に合うように変更される。ユーザがタッチパネル１２５を介し再度同じオブジェクトＯ１２を選択すると、選択されたオブジェクトＯ１２に対応する候補値が、現在選択されているオブジェクトＯ１１に対応する設定項目の現在値となる。コントローラ１３０は、現在選択されているオブジェクトＯ１１に対応する設定項目の現在値の変更を、現在値保持領域１４２ｂに登録する。同時に、図１５の（ｆ）に示すように、設定メニュー画面Ｓ１３から、候補値一覧エリアＡ１３およびメッセージエリアＡ１４が消える。
【００６０】
上記のとおり、本実施形態では、候補値一覧エリアＡ１３内のオブジェクトＯ１２が２度押しされることにより、現在値がそのオブジェクトＯ１２に対応する候補値に変更される。しかし、現在値の変更操作の態様は、上記態様に限定されない。例えば、ユーザがタッチパネル１２５を介し候補値一覧エリアＡ１３内のオブジェクトＯ１２を押している間、メッセージエリアＡ１４内にそのオブジェクトＯ１２に対応する候補値の説明が表示され、ユーザがそのオブジェクトＯ１２の押圧を解除すると、現在値がそのオブジェクトＯ１２に対応する候補値に変更されるようにしてもよい。さらに、本変形例において、ユーザがあるオブジェクトＯ１２（以下、仮選択オブジェクトＯ１２）の押圧状態からその隣のオブジェクトＯ１２に指を滑らすようにして、その隣のオブジェクトＯ１２を選択した場合には、メッセージエリアＡ１４内には押圧されているその隣のオブジェクトO１２に対応する候補値の説明が表示され、その隣のオブジェクトO１２の押圧を解除すると、現在値がその隣のオブジェクトO１２に対応する候補値に変更されるようにしてもよい。
【００６１】
〔２−２．クイックカスタマイズ画面〕
設定メニュー画面Ｓ１３には、「カスタマイズ」アイコンＩｄが配置されている。ユーザがタッチパネル１２５を介し設定メニュー画面Ｓ１３上の「カスタマイズ」アイコンＩｄを選択すると、図１６の（ａ）のクイックカスタマイズ画面Ｓ１４（カスタマイズ設定画面の一例）に遷移する。クイックカスタマイズ画面Ｓ１４は、デジタルカメラ２００の撮影条件に関する複数の設定項目の中からのカスタマイズ項目の選択をユーザから受け付ける画面である。
【００６２】
図１６に示すように、クイックカスタマイズ画面Ｓ１４は、設定項目エリアＡ２２（設定項目エリアの一例）、カスタマイズ項目エリアＡ２１（カスタマイズ項目エリアの一例）およびメッセージエリアＡ２３を同時に表示する。設定項目エリアＡ２２は、デジタルカメラ２００の撮影条件に関する複数の設定項目にそれぞれ対応する複数のオブジェクトＯ２１（設定項目エリアに配置されるオブジェクトの一例）を配置可能なエリアである。言い換えると、設定項目エリアＡ２２は、デジタルカメラ２００の撮影条件に関する複数の設定項目にそれぞれ対応する複数のオブジェクトＯ２１を一覧表示するエリアである。カスタマイズ項目エリアＡ２１は、デジタルカメラ２００の撮影条件に関する複数の設定項目の中からユーザが選択した１以上のカスタマイズ項目にそれぞれ対応する１以上のオブジェクトＯ２２（カスタマイズ項目エリアに配置されるオブジェクトの一例）を配置可能なエリアである。言い換えると、カスタマイズ項目エリアＡ２１は、１以上のカスタマイズ項目にそれぞれ対応する１以上のオブジェクトＯ２２を一覧表示するエリアである。本実施形態では、カスタマイズ項目の数には、上限値（本実施形態では、最大３つ）が定められている。しかしながら、第１実施形態のように、上限値を定めないようにしてもよい。メッセージエリアＡ２３は、図１６（ａ）〜（ｄ）のタイミングでは、カスタマイズ項目の追加および削除の操作の方法をガイダンスするメッセージを表示する。
【００６３】
図１６の（ｂ）〜（ｄ）および図１７に示すように、ユーザは、カスタマイズ項目を追加又は削除したい場合には、タッチパネル１２５に対しカスタマイズ操作を行うことにより、カスタマイズ項目エリアＡ２１をカスタマイズする。
具体的には、カスタマイズ項目を追加する場合のカスタマイズ操作とは、設定項目エリアＡ２２に配置されている、カスタマイズ項目として追加しようとする設定項目に対応するオブジェクトＯ２１を、カスタマイズ項目エリアＡ２１の任意の空き領域Ｅ２１へドラッグ・アンド・ドロップする操作である（図１６の（ｂ）〜（ｄ）参照）。空き領域Ｅ２１は、オブジェクトＯ２２が配置されていないカスタマイズ項目エリアＡ２１内の領域であって、オブジェクトＯ２１，Ｏ２２と略同等のサイズを有する領域である。オブジェクトＯ２１と、オブジェクトＯ２２とは、略同等のサイズを有する。コントローラ１３０は、カスタマイズ操作により設定項目エリアＡ２２からカスタマイズ項目エリアＡ２１へ移動したオブジェクトＯ２１に対応する設定項目を特定する情報を、カスタマイズ項目を特定する情報としてカスタマイズ項目登録領域１４２ａに記憶させる。なお、図１６の（ｂ）〜（ｄ）に示すように、本実施形態では、表示上、ドラッグ・アンド・ドロップ操作により移動されるオブジェクトは、オブジェクトＯ２１の枠である。
【００６４】
一方、カスタマイズ項目を削除する場合のカスタマイズ操作とは、カスタマイズ項目エリアＡ２１に配置されている、削除しようとするカスタマイズ項目に対応するオブジェクトＯ２２を、カスタマイズ項目エリアＡ２１外の任意の場所へドラッグ・アンド・ドロップする操作である（図１７の（ａ）〜（ｃ）参照）。コントローラ１３０は、カスタマイズ操作によりカスタマイズ項目エリアＡ２１からカスタマイズ項目エリアＡ２１外へ移動したオブジェクトＯ２２に対応するカスタマイズ項目を特定する情報を、カスタマイズ項目登録領域１４２ａから削除する。なお、図１７に示すように、本実施形態では、表示上、ドラッグ・アンド・ドロップ操作により移動されるオブジェクトは、オブジェクトＯ２１の枠である。カスタマイズ項目エリアＡ２１内の、削除されたカスタマイズ項目に対応するオブジェクトＯ２２が配置されていた領域は、空き領域Ｅ２１となる（図１７の（ｃ）参照）。
【００６５】
従って、ユーザは、タッチパネル１２５に対し所定の操作を行うことにより、設定項目エリアＡ２２又はカスタマイズ項目エリアＡ２１に配置されているオブジェクトＯ２１，Ｓ２２を選択し、それぞれ設定項目エリアＡ２２又はカスタマイズ項目エリアＡ２１へ移動することができる。
ユーザがタッチパネル１２５を介し、カスタマイズ項目として登録済みの設定項目に対
応する、設定項目エリアＡ２２内のオブジェクトＯ２１を選択しようとすると、メッセージエリアＡ２３には、所定のメッセージが表示される（図１６（ｅ）参照）。所定のメッセージとは、ユーザが選択しようとしたオブジェクトＯ２１に対応する設定項目が既にカスタマイズ項目として登録されている旨のメッセージである。カスタマイズ項目に対応するオブジェクトＯ２１は、選択不可能である。なお、設定項目エリアＡ２２内において、選択不可能なオブジェクトＯ２１（カスタマイズ項目として登録済みの設定項目に対応するオブジェクトＯ２１）は、他の選択可能なオブジェクトＯ２１とは異なり、選択不可能であることが分かるような態様で表示される（例えば、グレーアウト表示される）ことが好ましい。
【００６６】
ユーザがタッチパネル１２５を介しクイックカスタマイズ画面Ｓ１４上の「戻る」アイコンＩｒを選択すると、設定メニュー画面Ｓ１３に遷移する。その後、設定メニュー画面Ｓ１３上の「戻る」アイコンを選択すると、画面Ｓ１２に遷移する。その後、画面Ｓ１２上の「戻る」アイコンを選択すると、撮影待機画面Ｓ１１に遷移する（図１６（ｆ）参照）。撮影待機画面Ｓ１１は、カスタマイズ項目一覧エリアＡ２６を含む。カスタマイズ項目一覧エリアＡ２６は、０〜３つの全てのカスタマイズ項目にそれぞれ対応する０〜３つのオブジェクトＯ２３を一覧表示するエリアである。
【００６７】
オブジェクトＯ２１〜Ｏ２３は、そのオブジェクトＯ２１〜Ｏ２３に対応する設定項目の種類又は現在値を図形等により模式的に示すアイコンである。従って、ユーザは、オブジェクトＯ２１〜Ｏ２３を一目見るだけで、直感的にそのオブジェクトＯ２１〜Ｏ２３に対応する設定項目の種類又は現在値を把握することができる。オブジェクトＯ２１〜Ｏ２３が設定項目の種類又は現在値のいずれを示すのかは、オブジェクトＯ２１〜Ｏ２３に対応する設定項目の種類による。図１６の（ｆ）に示す例では、オブジェクトＯ２２，Ｏ２３は、「フラッシュ」の現在値である「オート」を示している。オブジェクトＯ２１〜Ｏ２３は、同じ設定項目に対応するオブジェクトＯ１１と同じ外観を有する。従って、カスタマイズ項目一覧エリアＡ２６内には、カスタマイズ項目の現在値を示すオブジェクトＯ２３が一覧表示され得る。よって、カスタマイズ項目一覧エリアＡ２６は、カスタマイズ項目の現在値の一覧表示エリアとしても機能し得る。
【００６８】
設定項目エリアＡ２２内では、同時に表示可能なオブジェクトＯ２１の数は有限（本実施形態では、最大５つ）である。従って、図１６および図１７に示すように、設定項目エリアＡ２２には、矢印のオブジェクトが配置されている。ユーザは、操作ユニット１５０および／またはタッチパネル１２５を介して矢印のオブジェクトを選択することにより、設定項目エリアＡ２２内のオブジェクトＯ２１の列を左右にスクロールさせることができる。その結果、ユーザは、設定項目エリアＡ２２内に、デジタルカメラ２００の撮影条件に関する全ての設定項目に対応するオブジェクトＯ２２を表示させることができる。
【００６９】
クイックカスタマイズ画面Ｓ１４は、コントローラ１３０により作成される。画面Ｓ１４の表示が命じられると、コントローラ１３０は、カスタマイズ項目登録領域１４２ａを参照することにより、カスタマイズ項目を特定する。続いて、コントローラ１３０は、特定したカスタマイズ項目に対応するオブジェクトＯ２２をカスタマイズ項目エリアＡ２１内に配置する。コントローラ１３０は、現在値保持領域１４２ｂを参照することにより、必要に応じてオブジェクトＯ２２の形状をそのオブジェクトＯ２２に対応するカスタマイズ項目の現在値に応じた形状とする。同時に、コントローラ１３０は、カスタマイズ項目として特定されなかった設定項目に対応するオブジェクトＯ２１を設定項目エリアＡ２２内に配置する。コントローラ１３０は、現在値保持領域１４２ｂを参照することにより、必要に応じてオブジェクトＯ２１の形状をそのオブジェクトＯ２１に対応する設定項目の現在値に応じた形状とする。
【００７０】
撮影待機画面Ｓ１１も、コントローラ１３０により作成される。画面Ｓ１１の表示が命じられると、コントローラ１３０は、カスタマイズ項目登録領域１４２ａを参照することにより、カスタマイズ項目を特定する。続いて、コントローラ１３０は、特定したカスタマイズ項目に対応するオブジェクトＯ２３をカスタマイズ項目一覧エリアＡ２６内に配置する。コントローラ１３０は、現在値保持領域１４２ｂを参照することにより、必要に応じてオブジェクトＯ２３の形状をそのオブジェクトＯ２３に対応するカスタマイズ項目の現在値に応じた形状とする。
【００７１】
〔２−３．クイック設定メニュー画面〕
図１８の（ａ）および（ｂ）に示すように、ユーザがタッチパネル１２５を操作することにより、撮影待機画面Ｓ１１上のカスタマイズ項目一覧エリアＡ２６内のオブジェクトＯ２３を選択すると、液晶モニタ１２３には、クイック設定メニュー画面Ｓ１５（カスタマイズ設定画面の一例）が表示される。図１８の（ａ）の撮影待機画面Ｓ１１は、「フラッシュ」がカスタマイズ項目として登録されている場合の例である。以下では、クイック設定メニュー画面Ｓ１５が表示される原因となった選択操作に係るオブジェクトＯ２３を、選択オブジェクトＯ２３と呼ぶ。
【００７２】
クイック設定メニュー画面Ｓ１５は、選択オブジェクトＯ２３に対応するカスタマイズ項目の現在値の設定を受け付ける画面である。クイック設定メニュー画面Ｓ１５は、項目名エリアＡ３１、メッセージエリアＡ３２および候補値一覧エリアＡ３３を同時に表示する。
項目名エリアＡ３１は、選択オブジェクトＯ２３に対応するカスタマイズ項目の項目名を文字により示すエリアである。従って、項目名エリアＡ３１は、選択オブジェクトＯ２３に対応するカスタマイズ項目の種類を示す。
【００７３】
候補値一覧エリアＡ３３は、選択オブジェクトＯ２３に対応するカスタマイズ項目の複数の候補値にそれぞれ対応する複数のオブジェクトＯ３１を一覧表示するエリアである。オブジェクトＯ３１は、そのオブジェクトＯ３１に対応する候補値を図形等により模式的に示すアイコンである。従って、ユーザは、オブジェクトＯ３１を一目見るだけで、直感的にそのオブジェクトＯ３１に対応する候補値を把握することができる。
【００７４】
候補値一覧エリアＡ３３内では、１のオブジェクトＯ３１ｓが選択されている状態となる。候補値一覧エリアＡ３３内では、現在選択されているオブジェクトＯ３１（以下、選択オブジェクトＯ３１ｓ）と、その他のオブジェクトＯ３１（以下、非選択オブジェクトＯ３１ｎ）とは、異なる色調で表示される。撮影待機画面Ｓ１１からクイック設定メニュー画面Ｓ１５に遷移した直後の選択オブジェクトＯ３１ｓは、選択オブジェクトＯ２３に対応するカスタマイズ項目の現在値を示す。
【００７５】
図１８の（ｃ）に示すように、ユーザは、タッチパネル１２５に対し所定の操作を行うことにより、候補値一覧エリアＡ３３内の非選択オブジェクトＯ３１ｎのいずれかを選択することができる。ユーザにより非選択オブジェクトＯ３１ｎのいずれかが選択されると、非選択オブジェクトＯ３１ｎと選択オブジェクトＯ３１ｓとが入れ替わる。その結果、選択オブジェクトＯ２３に対応するカスタマイズ項目の現在値が、新たな選択オブジェクトＯ３１ｓに対応する候補値に変更される。コントローラ１３０は、選択オブジェクトＯ２３に対応するカスタマイズ項目の現在値の変更を、現在値保持領域１４２ｂに登録する。
図１８の（ｃ）および（ｄ）に示すように、ユーザがタッチパネル１２５を介してクイック設定メニュー画面Ｓ１５上の「戻る」アイコンＩｓを選択すると、撮影待機画面Ｓ１１に遷移する。
【００７６】
〔３．変形例〕
ここに開示される技術は、上記実施形態に限定されず、他の種々の実施形態が考えられる。例えば、以下のとおりである。
【００７７】
〔３−１〕
上記実施形態では、撮影条件に関する設定項目の中からカスタマイズ項目を選択する場合を例示した。しかしながら、本発明は、このような例に限定されない。例えば、本発明は、再生条件に関する設定項目の中からカスタマイズ項目を選択する場合にも適用され得る。また、撮影条件および再生条件に関する設定項目の中からカスタマイズ項目を選択する場合にも適用され得る。そのような場合には、撮影条件および再生条件のそれぞれについて、クイック設定メニュー画面およびクイックカスタマイズ画面が用意されるようにしてもよい。その結果、ユーザは、撮影条件および再生条件のそれぞれについて、所定数ずつカスタマイズ項目を選択することができる。なお、再生条件についてのクイック設定メニュー画面およびクイックカスタマイズ画面は、再生モード中の画面から遷移可能とすることが好ましい。
【００７８】
〔３−２〕
本発明は、撮像装置以外の、複数の設定項目を有する電子機器にも適用可能である。
〔３−３〕
第２実施形態では、中央釦２０４、十字釦２０５およびＱメニュー釦２０８が省略されているものとした。しかしながら、デジタルカメラ２００が、中央釦２０４、十字釦２０５およびＱメニュー釦２０８を備えるようにしてもよい。その場合、第２実施形態におけるタッチパネル１２５による操作は、中央釦２０４、十字釦２０５およびＱメニュー釦２０８による操作に代替され得る。
【００７９】
〔３−４〕
第２実施形態に係るデジタルカメラ２００で表示される図１５および図１６に示す画面は、それぞれ図１９および図２０に示すような構成に変更され得る。つまり、設定メニュー画面Ｓ１３から「カスタマイズ」アイコンＩｄを省略してもよい。
そして、設定項目一覧エリアＡ１２内のオブジェクトＯ１１が所定の態様で選択される（例えば、長押しされる）と、クイックカスタマイズ画面Ｓ１４に遷移するようにしてもよい。あるいは、設定項目一覧エリアＡ１２内のオブジェクトＯ１１がカスタマイズ項目エリアＡ２１内にドラッグ・アンド・ドロップされることにより、カスタマイズ項目が新規に登録されるようにしてもよい。つまり、設定メニュー画面Ｓ１３が、クイックカスタマイズ画面Ｓ１４の役割を担っていてもよい。
また、表示上、オブジェクトＯ２１の枠だけでなく、オブジェクトＯ２１全体が移動されるようにしてもよい。
【００８０】
〔３−５〕
第２実施形態に係るデジタルカメラ２００で表示される図１６に示す画面は、図２１に示すような構成に変更され得る。つまり、ユーザがタッチパネル１２５を介し設定メニュー画面Ｓ１３上の「カスタマイズ」アイコンＩｄを選択すると、図２１の（ａ）のメッセージ画面Ｓ２５に遷移する。メッセージ画面Ｓ２５は、図１６の（ａ）のメッセージエリアＡ２３を液晶モニタ１２３全体に拡大した画面である。その結果、本変形例では、第２実施形態よりも、メッセージを表示するスペースが広くなっている。
【００８１】
コントローラ１３０は、液晶モニタ１２３にメッセージ画面Ｓ２５を所定の時間（例えば、５秒間）表示させ、その後、図２１の（ｂ）のクイックカスタマイズ画面Ｓ２４を表示させる。なお、メッセージ画面Ｓ２５は、自動的に消えるのではなく、所定の操作がされることを条件に消えるようにしてもよい。
クイックカスタマイズ画面Ｓ２４は、第２実施形態のクイックカスタマイズ画面Ｓ１４からメッセージウィンドウＡ２３を省略した画面である。クイックカスタマイズ画面Ｓ２４は、メッセージウィンドウＡ２３の代わりに、スルー画像を表示する。ただし、クイックカスタマイズ画面Ｓ２４上のスルー画像は、撮影待機画面Ｓ１１上のスルー画像よりも透過度が低い。液晶モニタ１２３にクイックカスタマイズ画面Ｓ２４が表示されている状態で、ユーザがレリーズ釦２０１，２０６を押すと、コントローラ１３０は、デジタルカメラ２００の各部を制御し、静止画又は動画を記録させる。
【００８２】
本変形例に係るデジタルカメラ２００は、クイックカスタマイズ画面Ｓ２４の表示中であっても、静止画又は動画の撮影を受け付けることができる。
同様に、デジタルカメラ２００は、設定メニュー画面Ｓ１３の表示中であっても、静止画又は動画の撮影を受け付けるようになっていてもよい。同様に、デジタルカメラ２００は、クイック設定メニュー画面Ｓ１５の表示中であっても、静止画又は動画の撮影を受け付けるようになっていてもよい。設定メニュー画面Ｓ１３およびクイック設定メニュー画面Ｓ１５は、スルー画像を表示する画面である。
【符号の説明】
【００８３】
１００  デジタルカメラ（電子機器の一例、撮像装置の一例）
１２３  液晶モニタ（表示部の一例）
１２５  タッチパネル（操作部の一例）
１３０  コントローラ（登録部の一例）
１４２  フラッシュメモリ（記憶部の一例）
１５０  操作ユニット（操作部の一例）
Ｓ１  設定メニュー画面（設定画面の一例）
Ｓ２  撮影待機画面
Ｓ４  クイック設定メニュー画面（カスタマイズ設定画面の一例）
Ｓ６  クイックカスタマイズ画面（カスタマイズ画面の一例）
Ｓ１１  撮影待機画面
Ｓ１３  設定メニュー画面（設定画面の一例）
Ｓ１４  クイックカスタマイズ画面（カスタマイズ画面の一例）
Ｓ１５  クイック設定メニュー画面（カスタマイズ設定画面の一例）
【図１】
0005833822.tif 000002
【図２】
0005833822.tif 000003
【図３】
0005833822.tif 000004
【図１２】
0005833822.tif 000005
【図１３】
0005833822.tif 000006
【図１４】
0005833822.tif 000007
【図４】
0005833822.tif 000008
【図５】
0005833822.tif 000009
【図６】
0005833822.tif 000010
【図７】
0005833822.tif 000011
【図８】
0005833822.tif 000012
【図９】
0005833822.tif 000013
【図１０】
0005833822.tif 000014
【図１１】
0005833822.tif 000015
【図１５】
0005833822.tif 000016
【図１６】
0005833822.tif 000017
【図１７】
0005833822.tif 000018
【図１８】
0005833822.tif 000019
【図１９】
0005833822.tif 000020
【図２０】
0005833822.tif 000021
【図２１】
0005833822.tif 000022